(57)【特許請求の範囲】
【請求項１】
非円形開口（２）を一端に有する中空のハウジング部品（１）と、
前記非円形開口（２）を閉じるハウジング底部（３）と、
前記ハウジング底部（３）を前記ハウジング部品（１）に着脱可能に連結する連結手段（１１）と、
を備えた電気機器用のハウジングであって、
前記ハウジング底部（３）が、
前記非円形開口（２）に装着された外底（４）と、
前記外底（４）に回転自在に取り付けられた内底（５）と、
を備えており、
前記外底（４）は、該外底（４）を貫通する円形開口（７）を有しており、
前記内底（５）は、
前記ハウジング部品（１）の内部に配置され、前記外底（４）によって覆われる内底本体と、
前記内底本体から前記ハウジング部品（１）の内壁に向かって延びるアーム（１０）と、
前記内底本体から突出して、前記外底（４）の前記円形開口（７）内に延在する突起（８）と、
を有しており、
前記連結手段（１１）は、前記アーム（１０）とのかみ合いによって前記内底（５）を前記ハウジング部品（１）に連結し、該かみ合いは、前記突起（８）を用いて前記内底（５）を回転させることにより解除することができる、ハウジング。
【請求項２】
前記外底（４）の外形が前記非円形開口（２）と合致する形状である、請求項１記載のハウジング。
【請求項３】
前記突起（８）の外形が前記円形開口（７）と合致する形状である、請求項１または２記載のハウジング。
【請求項４】
前記連結手段が、前記ハウジング部品（１）の内壁に設けられた切欠き（１１）である、請求項１〜３のいずれか一項に記載のハウジング。
【請求項５】
前記外底（４）に取り付けられたフレーム（１３）を更に備え、
前記内底（５）は、前記内底本体から前記ハウジング部品（１）の内壁に向かって延びる追加アーム（１２）を更に有しており、
前記アーム（１０）が前記連結手段（１１）とかみ合うときに、前記追加アーム（１２）が前記フレーム（１３）とかみ合う、請求項１〜４のいずれか一項に記載のハウジング。
【請求項６】
前記追加アーム（１２）が前記フレーム（１３）とかみ合うときに前記追加アーム（１２）を固定する追加アーム固定手段（１５、１６）を更に備える、請求項５に記載のハウジング。
【請求項７】
前記追加アーム固定手段が、
前記追加アーム（１２）に設けられ、前記フレーム（１３）に向かって突出するノーズ（１５）と、
前記フレーム（１３）に設けられ、前記ノーズ（１５）とかみ合う係合溝（１６）と、
からなる、請求項６に記載のハウジング。
【請求項８】
前記アーム（１０）が前記連結手段（１１）とかみ合うときに前記アーム（１０）を固定するアーム固定手段（１５、１６）を更に備える、請求項１〜７のいずれか一項に記載のハウジング。
【請求項９】
前記アーム固定手段が、
前記アーム（１０）に設けられ、前記ハウジング部品（１）に向かって突出するノーズ（１５）と、
前記ハウジング部品（１）に設けられ、前記ノーズ（１５）とかみ合う係合溝（１６）と、
からなる、請求項８に記載のハウジング。
【請求項１０】
前記ハウジング部品（１）と前記外底（４）の間、および前記外底（４）と前記内底（５）の間の少なくとも一方に設けられたシール（６、９）を更に備える、請求項１〜９のいずれか一項に記載のハウジング。
【請求項１１】
前記シール（６、９）が、２材射出成形法によりハウジング部品（１）、外底（４）、および内底（５）の少なくとも一つに接合される、請求項１０に記載のハウジング。
【請求項１２】
前記ハウジング部品（１）の切欠き（１１）がエラストマの層（１７）によって外側から覆われ、前記層（１７）は、２材射出成形法によって前記ハウジング部品（１）に接合される、請求項４に記載のハウジング。
【発明の詳細な説明】
【０００１】
【発明の属する技術分野】
本発明は、着脱自在のハウジング底部によって閉じられる非円形横断面を有するハウジング部品を備えたハウジング、特に電気機器用のハウジングに関する。
【０００２】
【従来の技術】
ねじ山等を有する円形ハウジング底部によって閉じられた円筒状ハウジング部品がすでに知られている。このハウジング部品を開くためには、まず使用者がハウジング底部を回してハウジング底部を開いた状態に移行させ、次いで、ハウジング部品からハウジング底部を取り外す。電気機器の場合は、例えば、そのときに使用者が空の電池を交換することができる。
【０００３】
【発明が解決しようとする課題】
非円形ハウジング部品の場合、同様の非円形ハウジング底部が着脱自在にハウジング部品に締結される他の装置も知られている。例えば、ハウジング底部をハウジング部品に挿入して、そこに固定することもできる。このようなハウジング底部の挿入および固定は、特に上述のようなハウジング底部を螺入および螺出する単純な動作と比較すると、しばしば使用者の困難を伴う。
【０００４】
この認識に鑑みて、本発明は、使用者による開閉が容易なハウジング底部を有する非円形ハウジング部品を備えたハウジングを提供することを目的とする。
【０００５】
【課題を解決するための手段】
最初に言及する種類のハウジングでは、この目的は、ハウジング底部が外底と外底に回転自在に取り付けられた内底を備える本発明に従って達成される。
【０００６】
回転自在内底の補助により、使用者は、簡単な方法でハウジング底部を開閉することができる。ハウジング部品におけるハウジング底部の複雑な挿入は、不要である。このように本発明によれば、使用者は、円形ハウジング底部について慣れているものと同じ方法で非円形ハウジング底部を取り扱うことができる。このため、例えば電池を交換するためのハウジング部品の開閉は、使用者にとってずっと単純に、そして容易に行われる。
【０００７】
本発明の好適な別の態様では、外底の外形が、ハウジング部品の非円形横断面の内形をほぼ有している。ハウジングの外面を形成する外底は、閉じる必要のあるハウジング部品内の開口を覆う仕事を有している。ハウジング部品への固定や回転動作は、外底の仕事ではない。したがって、外底は、ハウジング部品に特に良好に適合させることができる。
【０００８】
本発明の別の好適な構成では、内底が延在する円形開口を外底が有しており、内底の外形は、外底中の円形開口の内形をほぼ有している。したがって、外底中の開口は、内底によって埋められる。全体的に見て、ハウジング底部の領域における外面は、このように外底と内底の突出している突起とによって形成される。この突起において内底には、例えばスロットまたは同種のものが設けられる。このスロットによって、使用者は簡単な方法で内底を回し、ハウジング底部全体を閉状態から開状態に移行させることができる。
【０００９】
本発明の好適な態様では、閉状態において内底、ハウジング部品および外底が、特に確動かみ合いによって接合される。これは、ハウジング部品内においてハウジング底部を締結する単純であるが確実な方法を与える。前記閉状態は、使用者が内底を回して確動かみ合い関係を形成することにより得ることができる。開状態では、確動かみ合いがないので、ハウジング底部をハウジング部品から取り外すことが可能になる。
【００１０】
特に便利な態様では、内底は、ハウジング部品の内部の切欠きまたは同種のものと係合する少なくとも一つのアームを有している。このアームは、閉状態において前記切欠きまたは同種のものとかみ合う。さらにまた、内底は、外底上のフレームまたは同種のものと係合する少なくとも一つのアームを有している。このアームは、閉状態において前記フレームまたは同種のものとかみ合う。これらの構成は、簡単な手法の設計で実施することができるが、しっかりとした確動かみ合い関係を保証し、従ってハウジング部品中におけるハウジング底部の耐久力のある締結を保証する。
【００１１】
本発明の好適な更に別の態様では、内底、特に内底のアームの少なくとも一つとハウジング部品とに、固定手段、特にノーズおよび係合溝、が設けられている。閉状態における内底の固定は、このように簡単な方法で行われる。この結果、内底は自ら回転して開状態になることはできず、従って、ハウジング底部は、使用者の干渉なしでハウジング部品から外れることはない。
【００１２】
本発明の更に別の好適な態様では、ハウジング部品と外底の間にシールが配置され、かつ／または外底と内底の間にシールが配置される。これらのシール（好ましくはエラストマ材から構成される）は、ハウジングの内部への水および／または汚れの侵入を防ぐ。適切には、これらのシールは、ここで特定された構成要素の間に挿入することができ、あるいは２材射出成形法により前記構成要素の少なくとも一方に取り付けることができる。
【００１３】
この構成では、前記シールの少なくとも一つが２材射出成形法でハウジング部品に接合され、かつ／または外底および／または内底に接合されると好適である。
【００１４】
最後に、ハウジング部品中の切欠きをエラストマの層によって外側から覆うという好適な可能性がある。ここで、この層は、２材射出成形法でハウジング部品に接合される。
【００１５】
本発明の別の特徴、応用の可能性および利点は、添付図面に示される本発明の実施形態の以下の説明から明らかになる。図によって記載または表現される任意の単一の特徴および単一の特徴の任意の組合わせが本発明の対象事項を形成する。これは、特許請求の範囲における要約や後参照、ならびに説明および図面における用語や表現には関係しない。
【００１６】
【発明の実施の形態】
図１〜図７は、特に電気機器のハウジングとして使用するためのハウジングのハウジング部品１を示している。ハウジング部品１は、略円筒状であるが非円形の横断面を有している。ハウジング部品１は、例えば一つ以上の電池を収容するためのものであり、この場合、電池はハウジング部品１の内部において縦方向に配置される。
【００１７】
ハウジング部品１は、ハウジング底部３によって埋められるほぼ楕円形の内部形状を有する開口２をその自由端に備えている。もちろん、開口２の内部形状が標準的な楕円である必要はなく、非対称な形状を含む任意の形状とすることができる。ハウジング底部３は、縦方向をほぼ横断するように配置され、ハウジング部品１に着脱自在に連結されている。閉状態では、ハウジング底部３がハウジング部品１の開口２を覆い、これによってハウジング部品１を閉じている。開状態では、ハウジング底部３を、特につる巻き圧縮ばねなどの補助により、ハウジング部品１から取り外すことができる。このようにしてハウジング部品１の内部に手を届かせることができ、電池（例えば、内部に収容されたもの）を取り出すことが可能である。
【００１８】
ハウジング底部３は、外底４および内底５を有している。外底４は、ハウジング部品１の自由端とほぼ面一となるように配置され、ハウジング部品１およびハウジングの外面を形成する。内底５は、ハウジング部品１のうち内部に面する側に配置される。
【００１９】
外底４の外形は、開口２の楕円形内形に実質的に合致するほぼ楕円形の形状を有している。外底４とハウジング部品１との間には、エラストマシール６が配置される。このエラストマシール６は、特定されたこれらの部品間に挿入されるか、あるいは２材射出成形法によってこれらの部品の一方に成形される。
【００２０】
外底４は、外底４によって形成される略楕円形領域の最長および最短寸法の交差点におおむね配置された円形開口７を有している。内底５は、円形の突起８を開口７に延ばしている。突起８の外形は、開口７の内形に実質的に合致する。外底４と内底５の突起８との間には、エラストマシール９が配置される。このエラストマシール９は、特定されたこれらの部品間に挿入されるか、あるいは２材射出成形法によってこれらの部品の一方に成形される。
【００２１】
内底５は、開口７内（したがって外底４内）の突起８を用いて回転自在に取り付けられている。その回転軸は、ハウジング部品１の縦方向とほぼ平行に配置されている。外底４は、ハウジング部品１の内部に向かって縦方向に内底５と共に移動することができる。特に、外底４は、取り外しのために内底５と一緒にハウジング部品１から分離することができる。同様に、突起８を有する内底５は、外底４の開口７の中で縦方向に移動することができる。
【００２２】
内底５は、二本のアーム１０を有している。これらのアーム１０は、ハウジング部品１の縦方向をほぼ横断するとともに、ほぼ反対方向に配置され、より短い相対距離だけ離間したハウジング部品１の内壁に向かって延びている。これらの内壁は、外側に延びて二本のアーム１０と係合する二つの切欠き１１を含んでいる。アーム１０および切欠き１１は、閉状態でアーム１０の各々がその対応する切欠き１１とかみ合い、両者の間に確動かみ合い関係を形成するように構成されている。このようにして、内底５は、閉状態でハウジング部品１に確実に連結される。
【００２３】
これに加えて、内底は二本のアーム１２を有している。これらのアーム１２は、ハウジング部品１の縦方向をほぼ横断するとともに、ほぼ反対方向に配置され、より長い相対距離だけ離間したハウジング部品１の内壁に向かって延びている。外底４からハウジング部品１の内部に向かって突出しているのは、二本のアーム１２と係合する二つの実質的にＵ字形のフレーム１３である。アーム１２およびフレーム１３は、閉状態でアーム１２の各々がその対応するフレーム１３とかみ合い、両者の間に確動かみ合い関係を形成するように構成されている。このようにして、外底４は内底５に確実に固定され、したがって、同様に閉状態でハウジング部品１に確実に連結される。
【００２４】
四本のアーム１０および１２は、相互に約９０度の角度をもって交互に配置される。対応する切欠き１１およびフレーム１３は、アーム１０、１２が上述の閉状態から開状態に移行できるように構成されている。開状態では、アーム１０が切欠き１１の外側に位置し、アーム１２がフレーム１３の外側に位置する。閉状態は特に図４に示され、開状態は図７に示されている。
【００２５】
開口７を通って突出する内底５の突起８の外面には、スロット１４が形成されている。このスロット１４にはコインなどを挿入することができるので、コインなどを使用することにより、内底５を約４５度の角度にわたって回し、開状態から閉状態、およびその逆の移行を行わせることができる。スロット１４の代わりに他の形状の形材を使用することもできる。
【００２６】
内底５のアーム１０の一方には、ハウジング部品１の対応する切欠き１１内に設置された溝１６と係合するノーズ１５が設けられている。閉状態では、ノーズ１５は溝１６とかみ合う。このようにして内底５が閉状態で固定される。もちろん、このようなノーズ１５および対応する溝１６をアーム１０の双方に設け、かつ／またはアーム１２およびフレーム１３にこの種の固定手段を設けることも可能である。
【００２７】
ハウジング部品１の外側では、切欠き１１がエラストマ層１７で覆われている。このエラストマ層１７は、例えば２材射出成形法でハウジング部品１に接合される。エラストマ層１７は、ハウジング部品１の掴みやすさを改善する。切欠き１１の代わりに、ハウジング部品１の内壁に設けられた外側に閉じた窪みを使用することも可能である。
【図面の簡単な説明】
【図１】  本発明に係るハウジングの実施形態のハウジング底部の概略平面図である。
【図２】  図４の平面II−IIに沿った図１のハウジングの概略縦断面図である。
【図３】  図２の平面III−IIIに沿った図１のハウジングの概略縦断面図である。
【図４】  図２の平面IV−IVに沿った図１のハウジングの概略横断面図である。
【図５】  図４の平面V−Vに沿った図１のハウジングの概略断面図である。
【図６】  図４の平面VI−VIに沿った図１のハウジングの概略断面図である。
【図７】  図４に従う図１のハウジングの概略横断面図である。
【図１】
0004113668.tif 000002
【図２】
0004113668.tif 000003
【図３】
0004113668.tif 000004
【図４】
0004113668.tif 000005
【図５】
0004113668.tif 000006
【図６】
0004113668.tif 000007
【図７】
0004113668.tif 000008